(57)【要約】  ２個の細長い部材(１１、１２)であって、クランプの形をした先端部(１３、１４)と、指で掴むことができる後端部(１５、１６)とを備えた細長い部材とを有し、これら２個の細長い部材同士を結合する手段(１７)であって、これら２個の細長い部材の長さ方向の実質的に中央に位置付けられる手段を有する洗濯ばさみにおいて、これら２個の細長い部材の一方は、先端部に、少なくとも１個の第１磁石(２０)を備え、これら２個の細長い部材の他方は、少なくとも１個の第２磁石又は磁性体(２１)を備えることを特徴とする洗濯ばさみ。【選択図】図１
2011507571.tif 000002
【特許請求の範囲】
【請求項１】
２個の細長い部材であって、クランプの形をした先端部と、指で掴むことができる後端部とを備えた細長い部材を有し、これら２個の細長い部材同士を結合する手段であって、これら２個の細長い部材の長さ方向の実質的に中央に位置付けられる手段を有する洗濯ばさみにおいて、これら２個の細長い部材の一方は、先端部に、少なくとも１個の第１磁石を備え、これら２個の細長い部材の他方は、少なくとも１個の第２磁石又は磁性体を備えることを特徴とする洗濯ばさみ。
【請求項２】
前記２個の細長い部材には、色が付けられていることを特徴とする請求項１に記載の洗濯ばさみ。
【請求項３】
プラスチック材料で形成されることを特徴とする請求項１に記載の洗濯ばさみ。
【請求項４】
前記プラスチック材料に、香りが添加されていることを特徴とする請求項１に記載の洗濯ばさみ。
【請求項５】
前記第１及び第２磁石は、ネオジム製磁石であることを特徴とする請求項１に記載の洗濯ばさみ。
【請求項６】
前記結合する手段は、プラスチック材料製のV字型部材であることを特徴とする請求項１に記載の洗濯ばさみ。
【請求項７】
前記結合する手段は、ばねとなるように構成されることを特徴とする請求項１に記載の洗濯ばさみ。
【請求項８】
前記第１及び第２磁石は、前記２個の細長い部材の先端部に組み込まれることを特徴とする請求項１に記載の洗濯ばさみ。
【請求項９】
前記２個の細長い部材の先端部は、香り付けされていないことを特徴とする請求項１に記載の洗濯ばさみ。
【請求項１０】
ポリプロピレン製であることを特徴とする請求項１に記載の洗濯ばさみ。
【請求項１１】
前記結合する手段は、プラスチック材料製の実質的に直線状の部材であることを特徴とする請求項１に記載の洗濯ばさみ。
【請求項１２】
前記結合する手段は、U字型形状であることを特徴とする請求項１に記載の洗濯ばさみ。
【請求項１３】
前記２個の細長い部材同士を結合する手段は、結合ピンであることを特徴とする請求項１に記載の洗濯ばさみ。
【請求項１４】
前記２個の細長い部材同士を結合する手段は、洗濯ばさみ本体と同じ材料製のはねであることを特徴とする請求項１に記載の洗濯ばさみ。
【請求項１５】
前記２個の細長い部材の少なくとも１個には、前記結合する手段と前記先端部との間に、内側凹部を備えることを特徴とする請求項１に記載の洗濯ばさみ。
【発明の詳細な説明】
【技術分野】
【０００１】
この発明は、洗濯ばさみに関する。
【背景技術】
【０００２】
洗濯ばさみは、通常、プラチック、木又は金属から形成され、いずれの材料の場合でも、２個のクランプ端が、絶えず、鋼製ばねにより圧力が掛かるように、又は洗濯ばさみ自体の独特の形状に基づき互いに押し付け合うようにした機械的構成になっている。こうした洗濯ばさみは、ばねにより互いに結合された２個の組み合わせ部品として、又は、ばねは、結合機能を果たさないが、洗濯物を吊るす押し付け機能のみを果たす単一部品として構成される。
【０００３】
しかしながら、従来提供されているものは、主として２個の問題点、すなわち、時間の経過とともに留め圧力が減少すること、洗濯ばさみにより、特に、干し物掛けの棒体に留めた洗濯物に、大きな跡（しわ）が残ることから制約を受けている。
【０００４】
金属製ばねにより加わる圧力は、ばねを構成する部品が、野外使用を意図しているため、温度変化、紫外線、さらには、多くの地域では、腐食性塩分霧に晒されるので、金属の初期特性の喪失の結果、減少する。
【０００５】
こうして、当初もたらされていた圧力は、時間の経過とともに徐々に失われ、洗濯ばさみは、用を果たせなくなる。
【０００６】
こうした制約は、ばねにより結合された２個の部品で構成されるタイプの場合により顕著となり、ばねが保持力を喪失するという重大な結果、２個の部品の配置がずれられて結合を失うこともある。
【０００７】
多くの洗濯ばさみは、押圧端によって離された１個以上の丸みを帯びた挟み部同士が、圧縮ばねにより絶えず閉じられる形状になっている。
【０００８】
こうした洗濯ばさみは、洗濯物又はその一部を、干し物掛けの棒体（又は洗濯ロープ）に掛け、洗濯物を押し付けることにより、洗濯物を吊るすように設計されていることは明らかである。こうして、吊るされた洗濯物は、洗濯物を正しく位置付けるために棒体に掛けることにより、及び洗濯物を挟むことにより、二重の変形を受ける。
【発明の概要】
【発明が解決しようとする課題】
【０００９】
本発明の目的は、従来技術の問題点を解消する、すなわち、洗濯物に残る吊り下げ跡ができるだけ少なくなり、時間が経過してもその有効性を失わない、洗濯ばさみを提供することにある。もう一つの目的は、多目的洗濯ばさみを提供することにある。
【課題を解決するための手段】
【００１０】
これらの目的及びその他の目的は、本発明に係る、２個の細長い部材であって、クランプの形をした先端部と、指で掴むことができる後端部とを備えた細長い部材を有し、これら２個の細長い部材同士を結合する手段であって、これら２個の細長い部材の長さ方向の実質的に中央に位置付けられる手段を有する洗濯ばさみにおいて、これら２個の細長い部材の一方は、先端部に、少なくとも１個の第１磁石を備え、これら２個の細長い部材の他方は、少なくとも１個の第２磁石又は磁性体を備えることを特徴とする洗濯ばさみにより達成される。
【００１１】
本発明の、好ましい態様は、特許請求の範囲の従属項に記載してある。
【００１２】
従来技術とは、機械的部分及び使用方法の点で概念的に異なる形態で形成される新規な洗濯ばさみが、提供される。
【００１３】
本発明による洗濯ばさみは、保持ばねといったものを備えず、代わりに、２個の端部は、端部に組み込まれた１個以上の磁石を設けることにより、端部の一方が他方に対して絶えず接触するように維持される。
【００１４】
こうした磁石によりもう一方に加わる力は、もう一方が、磁石であれ、鋼（又は鉄）製の付着性部材であれ、洗濯ばさみのクランプ端部の連続的な引力をもたらし、干し物掛けの棒体に洗濯物をしっかり留めることなく、洗濯物を保持できる。
【００１５】
本明細書に説明する洗濯ばさみは、手の２本の指で行う掴み作用を正確に真似たもので、洗濯物を、棒体にきつく留めることなく保持する。風が強い大気条件で保持するには、「安全」のため、洗濯物の布地の一部を棒体部分的に巻きつけのが好ましいと考えられる場合には、洗濯ばさみは、大きな凹部を備えているので、棒体にしっかり掴みこませることなく、機能し、磁性作用を備えた２個の端部による圧力に限定される。さらに、洗濯ばさみは、改良された機能性に加えて、香りを付け及び／又は色を付けるようにしてもよい。
【００１６】
香り付けされた洗濯ばさみは、例えば、洗濯ばさみを洗濯物を仕舞う引き出しに入れることにより、洗濯物に香り付けするのに利用できる。
【発明の効果】
【００１７】
本発明の構成上の特徴及び特有の効果は、添付図面に非限定的な例として図示した、後述する実施形態の説明から明らかとなる。
【図面の簡単な説明】
【００１８】
【図１】図１は、本発明による洗濯ばさみの第１実施形態の一部断面平面図である。
【図２】図２は、本発明による洗濯ばさみの第２実施形態の一部断面平面図である。
【図３】図３は、本発明による洗濯ばさみの第３実施形態の一部断面平面図である。
【発明を実施するための形態】
【００１９】
添付図面を参照すると、本発明による洗濯ばさみ１０は、先端部１３及び１４がクランプの形をした第１部材１１及び第２部材１２と、指で掴むことができる外側後端部１５及び１６とを備える。
【００２０】
２個の第１部材１１及び第２部材１２同士は、結合部材１７により結合される。結合部材は、第１部材１１及び第２部材１２の長さ方向の実質的に中央に位置する。結合部材１７は、U字型形状をしていて、U字型形状の両端は、一端が第１部材１１の突出部１８に接続され、他端が第２部材１２の突出部１９に接続されることが好ましい。
【００２１】
結合部材１７は、ばねが果たす機能に対応する機能も合わせ持つ。
【００２２】
U字型形状にすると、洗濯ばさみ１０の使用中、結合部材に加わる負荷を減少できる。こうする代わりに、結合部材１７は、単に、洗濯ばさみ１０の開閉動作により生じる負荷に対して適切な厚さを持つ実質的に直線状の部材であってもよい。
【００２３】
代替案としての実施形態では、第１部材１１及び第２部材１２は、互いに一体にはなっていないが、プラスチック製又は金属製ばね、その他結合に適する手段により互いに接続されてもよい。例えば、第１及び第２部材は、ピン２５により接続され、ばね２６を備える。
【００２４】
第１部材１１及び第２部材１２の先端部１３及び１４には、２個の磁石２０及び２１が組み込まれる。磁石は、直径が１ｃｍで、ネオジム製であることが好ましい。
【００２５】
こうする代わりに、磁石の一方２０は、磁石であるが、他方２１は、磁石２０により引きつけられる磁性材料（鋼又は鉄、ブラストフェライト等）製でもよい。あまり好ましくない代替案としての実施形態では、磁石２０及び２１は、第１部材１１及び第２部材１２の外側に接着される。
【００２６】
別の実施形態では、延長部１７が、小型のV字型又は湾曲したプラスチック製部材（棒状体）の形をして、第１部材１１及び第２部材１２から直接突出する。
【００２７】
第１部材１１及び第２部材１２のそれぞれには、複数個の磁石を、可能ならば、小型な形態で、使用してもよい。こうする代わりに、各磁石を、鉄材料に接触させて磁力を増大してもよい。
【００２８】
延長部１７と洗濯ばさみ１０の先端部１３及び１４の間の箇所に、第１部材１１及び第２部材１２の間に、内側凹部を設ける。この内側凹部は、半径が１ｃｍ以上で、２ｃｍに等しいことが好ましい。
【００２９】
洗濯ばさみは、ポリプロピレン製とするが、他のプラスチック材料を使用してもよい。
【００３０】
特に、洗濯ばさみ１０は、２個のモールド、すなわち、先端部１３及び１４を除く第１部材１１及び第２部材１２用モールドと、先端部用のモールドとを用いて形成される。
【００３１】
先端部１３及び１４は、磁石２０及び２１を両者に組み込めるように、別々に形成される。形成後、両先端部は、プレス嵌めにより及び／又は接着剤も利用して、洗濯ばさみ本体（第１部材１１及び第２部材１２）に組み付けられる。
【００３２】
好ましくは、ポリプロピレン粒子に、１種以上のエッセンシャルオイルを混ぜて、完成後の製品に香りを付けるようにするとよい。特に、洗濯ばさみ本体をモールドするのに用いる、こうした粒子にのみ香り付けし、先端部１３及び１４に用いる、こうした粒子には、香り付けをしないようにして、香り付けされた箇所が、洗濯物と接触しないようにするとよい。こうした香りは、こうした粒子に、液体で又は香り付けされた樹脂マトリックスとして付加される。
【００３３】
洗濯ばさみ１０を製造する方法については、当業者は、上記の説明に基づいて洗濯ばさみを製造することができるので、詳述しない。
【００３４】
こうして、本発明の効果は、従来技術の問題を解消することにより得られる。この点、磁性体とその相手方部材（磁石又は鉄）とは、洗濯ばさみ本体により保護されて劣化原因となる大気中の成分に晒されないので、磁性保持手段は、時間が経過しても磁力を失わない。
【００３５】
また、洗濯物に加わる押し付け作用は、干し物掛けの棒体又はロープに影響を及ぼすことなく、吊り下げるのに不可欠な、洗濯物の最小限の部分に限られる。このため、洗濯物には、極めて小さい跡が、残るに過ぎない。
【００３６】
本発明による洗濯ばさみの、こうした特徴により、衣服の洗濯後、すなわち、アイロン掛け中に顕著になる効果がもたらされ、洗濯ばさみの跡が減り、アイロンをサッと当てるだけ、又は布地によっては、衣服を、付いた洗濯ばさみ跡の近辺で簡単に撫でるだけでで消えるので、（エネルギー節約の点で）簡単で経済的になる。
【００３７】
この他の効果的な特徴は、洗濯ばさみ、特に洗濯ばさみ本体の香り付け及び／又は色付けであり、洗濯ばさみを有用な製品にするだけでなく、使い心地がよくとともに、洗濯物のみならず周囲に香り付けをするのに役立つ製品にする。
【００３８】
このように案出された本発明は、技術的に均等な構成要素に置換可能であるだけでなく、本発明の要旨の範囲内で、種々の改造及び変更が可能である。
【図１】
2011507571.tif 000003
【図２】
2011507571.tif 000004
【図３】
2011507571.tif 000005
【手続補正書】
【提出日】平成22年10月29日(2010.10.29)
【手続補正１】
【補正対象書類名】明細書
【補正対象項目名】００２８
【補正方法】変更
【補正の内容】
【００２８】
延長部１７と洗濯ばさみ１０の先端部１３及び１４の間の箇所に、第１部材１１及び第２部材１２の間に、内側凹部２２を設ける。この内側凹部は、半径が１ｃｍ以上で、２ｃｍに等しいことが好ましい。
【手続補正２】
【補正対象書類名】特許請求の範囲
【補正対象項目名】請求項４
【補正方法】変更
【補正の内容】
【請求項４】
前記プラスチック材料に、香りが添加されていることを特徴とする請求項３に記載の洗濯ばさみ。
【国際調査報告】
2011507571.tif 000006
2011507571.tif 000007
2011507571.tif 000008